(57)【要約】【課題】カメラボディから発光部をより遠ざけた構成において、発光部とストラップとの干渉により発生する不具合を抑制することができるカメラボディを提供する。【解決手段】本発明に係るカメラボディ（１０）は、発光位置と収納位置との間を移動可能な発光部（１１０）と、ストラップを取り付ける取付部（１４，１５）と、被写体からの被写体光を受光して撮像する撮像部（１１）と、を備え、前記発光部は、前記収納位置に存在している場合に、前記カメラボディの両側面のうちの一方の側面の一部を構成するように設けられ、前記取付部は、カメラボディの前記両側面にそれぞれ設けられ、且つ一方の側面に配置された前記取付部（１４）が、前記撮像部に受光される前記被写体光の進行方向において、前記発光部の収納位置よりも後方に設けられる。【選択図】図２
2012252222.tif 000002
【特許請求の範囲】
【請求項１】
発光位置と収納位置との間を移動可能な発光部と、ストラップを取り付ける取付部と、被写体からの被写体光を受光して撮像する撮像部と、を備えたカメラボディにおいて、
前記発光部は、前記収納位置に存在している場合に、前記カメラボディの両側面のうちの一方の側面の一部を構成するように設けられ、
前記取付部は、カメラボディの前記両側面にそれぞれ設けられており、且つ一方の側面に配置された前記取付部が、前記撮像部に受光される前記被写体光の進行方向において、前記発光部の収納位置よりも後方に設けられていること、
を特徴とするカメラボディ。
【請求項２】
請求項１に記載のカメラボディにおいて、
前記発光部は、前記被写体光の光軸と垂直な方向における断面形状が略Ｌ字形状の本体を備え、且つ前記収納位置においては、前記本体が前記カメラボディの上面及び側面の一部となり、前記発光位置においては、前記本体が前記カメラボディの前記上面から突出すること、
を特徴とするカメラボディ。
【請求項３】
請求項１又は２に記載のカメラボディにおいて、
前記発光部は、被写体に照明光を照射する発光体を備え、当該発光体の長手方向が前記収納位置において前記カメラボディに対し、前記側面に沿って略平行な縦方向に収納されること、
を特徴とするカメラボディ。
【請求項４】
請求項１〜３のいずれか１項に記載のカメラボディにおいて、
前記両側面のうちの他方の側面に配置された前記取付部は、前記被写体光の前記進行方向において、前記一方の側面に配置された取付部よりも前方に設けられていること、
を特徴とするカメラボディ。
【請求項５】
請求項１〜３のいずれか１項に記載のカメラボディにおいて、
前記両側面のうちの他方の側面に配置された前記取付部が、前記被写体光の進行方向において、前記発光部の収納位置よりも後方に設けられていること、
を特徴とするカメラボディ。
【発明の詳細な説明】
【技術分野】
【０００１】
本発明は、照明光の発光部を備えたカメラボディに関する。
【背景技術】
【０００２】
従来、発光部がカメラ本体に収納された収納位置から、カメラ本体より突出した発光位置まで垂直方向に移動可能なポップアップ機構を備えたカメラが提案されている（例えば、特許文献１参照）。
【先行技術文献】
【特許文献】
【０００３】
【特許文献１】特開２００９−８６２２６号公報
【発明の概要】
【発明が解決しようとする課題】
【０００４】
発光部のポップアップ機構を備えたカメラでは、レンズ鏡筒による画像のケラレを防ぐため、発光部をレンズ鏡筒から遠ざける必要がある。とくに、カメラボディを小型化し、長焦点レンズや大口径レンズを搭載したカメラでは、発光部を収納位置から発光位置に移動したときに、カメラボディから発光部をより遠ざける必要がある。
【０００５】
一般に、ポップアップ機構を備えたカメラにおいて、発光部は、カメラボディ上面の角部に配置される。そして、発光部を収納位置から発光位置に移動させると、発光部はカメラボディの上方に向けて突出する。一方、ストラップは、カメラボディ側面の上部に取付部が配置される。このため、カメラボディから発光部を遠ざけると、カメラボディの上方に突出した発光部と、取付部から上方に向けて延ばされたストラップとが干渉しやすくなる。
【０００６】
本発明の課題は、カメラボディから発光部をより遠ざけた構成において、発光部とストラップとの干渉により発生する不具合を抑制することができるカメラボディを提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に記載の発明は、発光位置と収納位置との間を移動可能な発光部（１１０）と、ストラップを取り付ける取付部（１４，１５）と、被写体からの被写体光を受光して撮像する撮像部（１１）と、を備えたカメラボディ（１０）において、前記発光部は、前記収納位置に存在している場合に、前記カメラボディの両側面のうちの一方の側面の一部を構成するように設けられ、前記取付部は、カメラボディの前記両側面にそれぞれ設けられており、且つ一方の側面に配置された前記取付部（１４）が、前記撮像部に受光される前記被写体光の進行方向において、前記発光部の収納位置よりも後方に設けられていること、を特徴とするカメラボディである。
請求項２に記載の発明は、請求項１に記載のカメラボディ（１０）において、前記発光部（１１０）は、前記被写体光の光軸と垂直な方向における断面形状が略Ｌ字形状の本体を備え、且つ前記収納位置においては、前記本体が前記カメラボディの上面及び側面の一部となり、前記発光位置においては、前記本体が前記カメラボディの前記上面から突出すること、を特徴とする。
請求項３に記載の発明は、請求項１又は２に記載のカメラボディ（１０）において、前記発光部（１１０）は、被写体に照明光を照射する発光体（１１３）を備え、当該発光体の長手方向が前記収納位置において前記カメラボディに対し、前記側面に沿って略平行な縦方向に収納されること、を特徴とする。
請求項４に記載の発明は、請求項１〜３のいずれか１項に記載のカメラボディ（１０）において、前記両側面のうちの他方の側面に配置された前記取付部（１５）は、前記被写体光の前記進行方向において、前記一方の側面に配置された取付部（１４）よりも前方に設けられていること、を特徴とする。
請求項５に記載の発明は、請求項１〜３のいずれか１項に記載のカメラボディ（１０）において、前記両側面のうちの他方の側面に配置された前記取付部（１５）が、前記被写体光の進行方向において、前記発光部（１１０）の収納位置よりも後方に設けられていること、を特徴とする。
なお、符号を付して説明した構成は、適宜改良してもよく、また、少なくとも一部を他の構成物に代替してもよい。
【発明の効果】
【０００８】
本発明によれば、カメラボディから発光部をより遠ざけた構成において、発光部とストラップとの干渉により発生する不具合を抑制することができるカメラボディを提供することができる。
【図面の簡単な説明】
【０００９】
【図１】実施形態に係るカメラ１において発光ユニット１００を収納位置に移動したときの概略斜視図である。
【図２】実施形態に係るカメラ１において発光ユニット１００を発光位置に移動したときの概略斜視図である。
【図３】発光部１１０を発光位置に移動した発光ユニット１００の構成を示す概略斜視図である。
【図４】発光部１１０を収納位置に移動した発光ユニット１００を示す略斜視図である。
【図５】発光部１１０を収納位置に移動した発光ユニット１００の横断面図である。
【図６】カメラボディ１０を斜め後方側から見たときの分解斜視図である。
【図７】図６の矢視Ａから見たときの部分平面図である。
【図８】比較例のカメラ１Ａにおける発光ユニット１００側の側面図である。
【図９】実施形態のカメラ１における発光ユニット１００側の側面図である。
【図１０】撮影者が実施形態のカメラ１をストラップ３０により吊り下げた状態を示す正面図である。
【図１１】撮影者が比較例のカメラ１Ａをストラップ３０により吊り下げた状態を示す側面図である。
【図１２】撮影者が実施形態のカメラ１をストラップ３０により吊り下げた状態を示す側面図である。
【発明を実施するための形態】
【００１０】
以下、図面を参照して、本発明に係るカメラボディを備えたカメラ１の実施形態について説明する。なお、以下に示す各図には、説明と理解とを容易にするために、ＸＹＺの直交座標系を設けた。この座標系では、撮影者が被写体光の光軸Ａ（図１参照）を水平として横長の画像を撮影する場合のカメラ位置（以下、正位置という）において撮影者から見て左側に向かう方向をＸ軸プラス方向とする。また、正位置において上側に向かう方向をＹ軸プラス方向とする。さらに、正位置において被写体に向かう方向をＺ軸プラス方向とする。
【００１１】
図１は、本実施形態に係るカメラ１において、発光ユニット１００を収納位置に移動したときの概略斜視図である。図２は、本実施形態に係るカメラ１において、発光ユニット１００を発光位置に移動したときの概略斜視図である。図３は、発光部１１０を発光位置に移動した発光ユニット１００の構成を示す概略斜視図である。図４は、発光部１１０を収納位置に移動した発光ユニット１００を示す略斜視図である。図５は、発光部１１０を収納位置に移動した発光ユニット１００の横断面図である。
【００１２】
本実施形態に係るカメラ１は、図１に示すように、カメラボディ１０と、レンズ鏡筒２０と、を備える。カメラ１は、カメラボディ１０とレンズ鏡筒２０とが一体化されている。カメラボディ１０は、レンズ鏡筒２０により形成された被写体像を撮像する撮像部１１を備えたデジタルカメラである。カメラボディの上面には、電源ボタン１２、レリーズボタン１３が配置されている。カメラボディ１０の右側面（図中、手前側の側面）の上部には、発光ユニット１００が設けられている。発光ユニット１００の構造については後述する。カメラボディ１０の左右側面の上部には、取付部としての吊り環１４，１５がそれぞれ設けられている。吊り環１４，１５は、ストラップ３０（後述）を取り付ける部分である。吊り環１４，１５には、三角環３１（後述）を通すための丸孔１４ａ，１５ａがそれぞれ形成されている。吊り環１４，１５の配置については後述する。更に、カメラボディ１０の背面側には、ポップアップボタン１６が配置されている。
【００１３】
図１に示す状態において、撮影者がポップアップボタン１６を操作すると、発光ユニット１００の発光部１１０（後述）は、収納位置から発光位置に移動する。この結果、発光ユニット１００は、図２に示すように、カメラボディ１０の上部に配置される。一方、図２に示す状態において、撮影者が発光部をカメラボディ１０の側に押し込むと、発光部１１０は、発光位置から収納位置に移動する。この結果、発光部１１０は、図１に示すように、カメラボディ１０の側面に収納される。
【００１４】
レンズ鏡筒２０は、入射した被写体光を屈折させて撮像部に被写体像を形成する光学部材を備える。本実施形態のレンズ鏡筒２０は、焦点距離可変のズームレンズである。撮影者は、ズームボタン（不図示）を操作することにより、レンズ鏡筒２０の焦点距離を広角側（短焦点側）から望遠側（長焦点側）までの間で無段階に変化させることができる。
【００１５】
また、撮影者が電源ボタン１２を操作してカメラボディ１０の電源をオフにすると、レンズ鏡筒２０は、カメラボディ１０の背面側（Ｚマイナス方向）に収縮する。これにより、レンズ鏡筒２０は、カメラボディ１０の内部に収納される（不図示）。一方、撮影者が電源ボタン１２を操作してカメラボディ１０の電源をオンにすると、レンズ鏡筒２０は、カメラボディ１０の前面側（Ｚプラス方向）に伸長する。これにより、カメラ１は、撮影可能状態となる（図１参照）。
【００１６】
次に、発光ユニット１００の構造について説明する。
発光ユニット１００は、図３に示すように、発光部１１０と、収納部材１２０と、移動機構部１３０と、を備える。発光部１１０は、被写体に向けて照明光を照射する部分である。収納部材１２０は、発光部１１０を収納する部分である。移動機構部１３０は、発光部１１０を発光位置と収納位置との間で移動可能に支持する部分である。
【００１７】
発光部１１０は、発光部ホルダ１１１と、発光部支持アーム１１２と、を備える。発光部ホルダ１１１及び発光部支持アーム１１２は、被写体光の光軸Ａ（図１参照）と垂直な方向おける断面形状が略Ｌ字形状の発光部１１０を構成する。発光部１１０は、図１に示すように、収納位置においては、本体がカメラボディ１０の上面及び側面の一部となる。また、発光部１１０は、図２に示すように、発光位置においては、本体がカメラボディ１０の上面から突出する。
【００１８】
発光部ホルダ１１１は、箱枠形に形成された部材である。発光部ホルダ１１１は、発光体としてのキセノン管１１３と、反射傘１１４と、発光窓１１５と、を備える。
キセノン管１１３は、円柱状の発光管である。キセノン管１１３は、カメラボディ１０の発光制御回路（不図示）から送信された発光信号に同期して、照明光を照射する。キセノン管１１３は、図４に示すように、発光部１１０が収納位置に移動したときに、長手方向がカメラボディ１０の側面に沿って略平行な縦方向に収納される。
【００１９】
反射傘１１４は、キセノン管１１３から照射された照射光のうち、側方や後方に向かう光を照射方向（Ｚ軸プラス方向）に反射する部材である。
発光窓１１５は、キセノン管１１３から照射された照射光を拡散して、照射方向に透過させる光学部材である。
【００２０】
発光部支持アーム１１２は、発光部１１０と共に回動する部材である。図３に示すように、発光部支持アーム１１２は、発光部１１０と一体に形成されている。発光部支持アーム１１２の側面には、係止ロッド１３１（後述）の一端１３１ａが回動自在に連結されている。発光部支持アーム１１２の下部は、収納部材１２０（後述）に回動自在に支持されている。更に、発光部支持アーム１１２の側面には、発光部ホルダ凹部１１６（図５参照）が設けられている。
【００２１】
図３に示すように、収納部材１２０は、側面視において略Ｌ字形に形成された部材であり、発光部１１０を収納する収納空間１２１が形成されている。発光部支持アーム１１２の下部は、回転軸１２３を介して収納部材１２０に回動自在に支持されている。また、収納部材１２０の内壁面１２２には、断面凹形状の溝部１２４が形成されている。溝部１２４には、係止ロッド１３１の他端１３１ｂが移動自在に係合している。
【００２２】
移動機構部１３０は、図５に示すように、係止ロッド１３１と、発光部付勢バネ１３２と、ストッパ１３３と、ストッパ駆動アーム１３４と、ストッパ付勢バネ１３５と、ポップアップボタン１６と、を備える。
【００２３】
係止ロッド１３１は、発光部１１０を収納位置から発光位置まで移動させたときに、発光部１１０を所定位置で停止させる位置決め部材である（図３参照）。
発光部付勢バネ１３２は、発光ユニット１００の発光部１１０を発光位置に向けて付勢する弾性部材である。発光部付勢バネ１３２は、回転軸１２３に取り付けられている。
【００２４】
ストッパ１３３は、発光部支持アーム１１２に設けられた発光部ホルダ凹部１１６と係合する部材である。ストッパ１３３は、図５に示すように、Ｚ軸方向に移動自在に支持されている。ストッパ１３３は、図３に示すように、収納部材１２０の内壁面１２２に突出した位置又は内壁面１２２から退避した位置に移動することができる。図３及び図５において、ストッパ１３３は、収納部材１２０の内壁面１２２に突出している。ストッパ１３３には、係合ピン１３３ａが設けられている。係合ピン１３３ａは、ストッパ駆動アーム１３４のストッパ係合部１３４ａ（後述）と係合する。
【００２５】
ストッパ駆動アーム１３４は、収納部材１２０の側面に設けられた部材である。ストッパ駆動アーム１３４は、回転軸１３７を介して収納部材１２０に回動自在に支持されている。ストッパ駆動アーム１３４の一端には、ストッパ１３３の係合ピン１３３ａと係合するストッパ係合部１３４ａが設けられている。ストッパ駆動アーム１３４の他端には、ポップアップボタン１６の係合ピン１６ａ（後述）と係合するボタン係合部１３４ｂが設けられている。ストッパ駆動アーム１３４を支持する回転軸１３７には、ストッパ付勢バネ１３５が取り付けられている。ストッパ付勢バネ１３５は、図５に示す平面視において、ストッパ駆動アーム１３４のストッパ係合部１３４ａを、回転軸１３７を中心として時計回りに付勢する弾性部材である。
【００２６】
ポップアップボタン１６は、撮影者が操作する部材である。ポップアップボタン１６は、断面略Ｔ字形に形成され、Ｚ軸方向に移動自在に支持されている。ポップアップボタン１６には、係合ピン１６ａが設けられている。この係合ピン１６ａは、ストッパ駆動アーム１３４のボタン係合部１３４ｂと係合している。
【００２７】
発光部１１０が、図３に示す発光位置に移動しているときに、撮影者が発光部１１０をカメラボディ１０の側に押し込むと、発光部支持アーム１１２の発光部ホルダ凹部１１６と移動機構部１３０のストッパ１３３とが係合する。このため、発光部１１０は、図４に示すように、収納部材１２０に収納され、その状態を維持する。
【００２８】
一方、発光部１１０が収納部材１２０に収納されている状態で、撮影者がポップアップボタン１６をカメラボディ１０側に押し込むと、移動機構部１３０のストッパ１３３は、ストッパ付勢バネ１３５の付勢力に反して、収納部材１２０の内壁面１２２から退避する。これにより、発光部支持アーム１１２の発光部ホルダ凹部１１６と移動機構部１３０のストッパ１３３との係合が解除される。このため、発光部１１０は、図３に示すように、発光部付勢バネ１３２の付勢力により発光位置まで移動する。このとき、発光部支持アーム１１２に連結された係止ロッド１３１の他端１３１ｂは、収納部材１２０の溝部１２４に沿って移動する。発光部１１０が発光位置に達すると、係止ロッド１３１の他端１３１ｂは、溝部１２４の端に突き当たる。これにより、係止ロッド１３１の移動が制限される。この結果、発光部１１０は、図３に示すように、カメラボディ１０の上面から突出した発光位置で停止する。
【００２９】
上述したように、本実施形態の発光部１１０は、被写体光の光軸Ａと垂直な方向おける断面形状が略Ｌ字形状に形成されている。また、発光部ホルダ１１１に収納されたキセノン管１１３は、発光部１１０が収納位置に移動したときに、長手方向がカメラボディ１０の側面に沿って略平行な縦方向に収納される。このため、発光部１１０を発光位置に移動したときに、キセノン管１１３をカメラボディ１０からより高い位置に移動させることができる。すなわち、キセノン管１１３をカメラボディ１０の側面に対して斜めに収納する場合に比べて、カメラボディ１０から発光部１１０をより遠ざけることができる。
【００３０】
次に、吊り環１４、１５の配置について説明する。
図６は、カメラボディ１０を斜め後方側から見たときの分解斜視図である。図７は、図６の矢視Ａから見たときの部分平面図である。
【００３１】
図６に示すように、カメラボディ１０は、その内部にフレーム部材１７を備える。フレーム部材１７は、カメラボディ１０の外側を覆うカバー（不図示）を固定するための部材である。図７に示すように、吊り環１４は、ネジ１８を介してフレーム部材１７に取り付けられている。本実施形態において、発光ユニット１００側の吊り環１４は、被写体光の進行方向（Ｚ軸マイナス方向）において、発光部１１０の収納位置よりも後方に設けられている。
【００３２】
一方、発光ユニット１００と反対側の吊り環１５（図１参照）についても、同様に、ネジ１８を介してフレーム部材１７に取り付けられている（取付け構造の図示を省略）。本実施形態において、発光ユニット１００と反対側の吊り環１５は、被写体光の進行方向において、発光ユニット１００側の吊り環１４よりも前方に設けられている。なお、本実施形態において、吊り環１４，１５は、カメラボディ１０の高さ方向において、左右で同じ位置に設けられている。
【００３３】
上述した２つの吊り環１４，１５には、ストラップ３０（図８参照）が取り付けられる。ストラップ３０は、撮影者がカメラ１を首や肩等から吊り下げるための帯状の部材である。
【００３４】
次に、上記のように構成されたカメラボディ１０の作用について説明する。ここでは、本実施形態のカメラ１及び比較例のカメラ１Ａに、それぞれ同じストラップ３０を取り付けた場合を例として説明する。また、比較例のカメラ１Ａは、本実施形態のカメラ１と同じ構造の発光ユニット１００を備える。
【００３５】
図８は、比較例のカメラ１Ａにおける発光ユニット１００側の側面図である。図９は、本実施形態のカメラ１における発光ユニット１００側の側面図である。図１０は、撮影者が本実施形態のカメラ１をストラップ３０により吊り下げた状態を示す正面図である。図１１は、撮影者が比較例のカメラ１Ａをストラップ３０により吊り下げた状態を示す側面図である。図１２は、撮影者が本実施形態のカメラ１をストラップ３０により吊り下げた状態を示す側面図である。
【００３６】
図８に示すように、比較例のカメラ１Ａでは、発光ユニット１００側の吊り環１４が、被写体光の進行方向において、発光部１１０の収納位置よりも前方に設けられている。一方、図９に示すように、本実施形態のカメラ１では、発光ユニット１００側の吊り環１４が、被写体光の進行方向において、発光部１１０の収納位置よりも後方に設けられている。
【００３７】
なお、発光ユニット１００と反対側の吊り環１５は、比較例及び本実施形態のいずれも、被写体光の進行方向において、発光ユニット１００側の吊り環１４よりも前方に設けられている。比較例及び本実施形態のいずれも、ストラップ３０は、三角環３１を介して吊り環１４，１５に取り付けられる。
【００３８】
撮影者がカメラボディ１０に取り付けられたストラップ３０を首や肩等から吊り下げると、ストラップ３０は、図１０に示すように、カメラボディ１０の内側に向けて斜め上方に延びる。カメラボディ１０をストラップ３０に吊り下げた状態で発光部１１０を発光位置に移動すると、図１０に示すように、正面視において、発光部１１０とストラップ３０とが干渉する。とくに、カメラボディ１０は、ストラップ３０に吊り下げた状態では、レンズ鏡筒２０の自重により下向きに傾き易くなる。従って、発光部１１０とストラップ３０とが、より干渉しやすくなる。
【００３９】
比較例のカメラボディ１０Ａでは、図１１に示すように、ストラップ３０に吊り下げた状態において、ストラップ３０は発光部１１０の前方から後方に向けて延びる。このため、発光部１１０を発光位置に移動させる際に、発光部１１０とストラップ３０とが干渉して、発光部１１０を正しい発光位置に移動できなくなるおそれがある。また、比較例のカメラボディ１０Ａにおいて、発光部１１０を収納位置に移動させる際にも、発光部１１０とストラップ３０とが干渉して、発光部１１０を正しい収納位置に移動できなくなるおそれがある。更に、発光部１１０を発光位置に移動させた後に、撮影者がカメラボディ１０Ａを振り回す等の動作をした場合に、発光部１１０とストラップ３０とが干渉した場合には、発光部１１０に大きな力が加わり、発光部１１０が破損するおそれがある。このような不具合は、カメラボディ１０（１０Ａ）から発光部１１０をより遠ざけた構成とすることにより発生する。
【００４０】
一方、本実施形態のカメラボディ１０では、図１２に示すように、ストラップ３０に吊り下げた状態において、ストラップ３０は発光部１１０よりも後方に向けて延びる。このため、発光部１１０を発光位置に移動させる際に、発光部１１０とストラップ３０とが干渉しにくく、発光部１１０を正しい発光位置により確実に移動することができる。また、本実施形態のカメラボディ１０では、発光部１１０を収納位置に移動させる際にも、発光部１１０とストラップ３０とが干渉しにくいため、発光部１１０を正しい収納位置により確実に移動することができる。更に、発光部１１０を発光位置に移動させた後に、撮影者がカメラボディ１０を振り回す等の動作をした場合でも、発光部１１０とストラップ３０とが干渉しにくいため、発光部１１０の破損をより確実に防ぐことができる。
【００４１】
上述した実施形態のカメラボディ１０によれば、以下の効果を奏する。
（１）発光ユニット１００側の吊り環１４は、被写体光の進行方向において、発光部１１０の収納位置よりも後方に設けられている。このため、発光部１１０を発光位置に移動させる際に、発光部１１０とストラップ３０とが干渉しにくく、発光部１１０を正しい発光位置により確実に移動することができる。また、発光部１１０を収納位置に移動させる際にも、発光部１１０とストラップ３０とが干渉しにくいため、発光部１１０を正しい収納位置により確実に移動することができる。更に、発光部１１０を発光位置に移動させた後に、撮影者がカメラボディ１０を振り回す等の動作をした場合でも、発光部１１０とストラップ３０とが干渉しにくいため、発光部１１０の破損をより確実に防ぐことができる。従って、本実施形態のカメラボディ１０によれば、カメラボディ１０から発光部１１０をより遠ざけた構成において、発光部１１０とストラップ３０との干渉により発生する不具合を抑制することができる。
【００４２】
（２）発光部１１０は、収納位置において、カメラボディ１０の上面及び側面の一部となる。また、発光部１１０は、発光位置において、カメラボディ１０の上面から突出する。このため、発光部１１０を発光位置に移動したときには、カメラボディ１０から発光部１１０を高い位置に移動させることができる。また、発光部１１０を収納位置に移動したときにはカメラボディ１０の外観形状を損なうことなしに、発光部１１０を収納することができる。
【００４３】
（３）キセノン管１１３は、発光部１１０が収納位置に移動したときに、長手方向がカメラボディ１０の側面に沿って略平行な縦方向に収納される。このため、発光部１１０を発光位置に移動したときに、キセノン管１１３をカメラボディ１０からより高い位置に移動させることができる。すなわち、キセノン管１１３をカメラボディ１０の側面に対して斜めに収納する場合に比べて、カメラボディ１０から発光部１１０をより遠ざけることができる。
【００４４】
（４）発光ユニット１００と反対側の吊り環１５は、被写体光の進行方向において、発光ユニット１００側の吊り環１４よりも前方に設けられている。このため、撮影者がカメラボディ１０を右手でグリップした際に、撮影者の指とストラップ３０とが干渉しにくくなる。このため、レリーズボタン１３の周辺における操作性が向上する。また、上から見たときに、吊り環１４，１５がカメラボディ１０の中心に対して対角線上に配置されるため、カメラ１のバランスが取り易くなる。
【００４５】
（変形形態）
以上説明した実施形態に限定されることなく、本発明は以下に示すような種々の変形や変更が可能であり、それらも本発明の範囲内である。
（１）発光ユニット１００と反対側の吊り環１５を、被写体光の進行方向において、発光部１１０の収納位置よりも後方に設けた構成としてもよい。この場合には、発光部１１０を発光位置に移動させた際に、発光部１１０とストラップ３０とをより干渉しにくくすることができる。
【００４６】
（２）吊り環１４，１５を、カメラボディ１０の高さ方において、左右で異なる位置に設けてもよい。また、吊り環１４，１５は、長孔を備えた形状であってもよい。このような吊り環を設けることにより、三角環３１を用いることなしに、吊り環にストラップ３０を取り付けることができる。
【００４７】
（３）発光部１１０の光源は、キセノン管１１３に限定されない。例えば、ＬＥＤを列状に配置した光源であってもよいし、他の光源を用いてもよい。
【００４８】
（４）発光部１１０を発光位置と収納位置との間で移動させる機構は、本実施形態の移動機構部１３０に限定されない。例えば、発光部１１０をモータの駆動力により移動させる機構であってもよい。また、発光部１１０を、手動により収納位置と発光位置との間で移動させる機構としてもよい。更に、発光部１１０は、回転軸により回動させる機構に限定されない。すなわち、発光部１１０を、垂直方向に移動させる構成としてもよい。
【００４９】
（５）発光部１１０は、略Ｌ字形状に限定されない。すなわち、発光部ホルダ１１１と発光部支持アーム１１２との角度は、９０°以上あってもよい。すなわち、発光位置において、発光部１１０をカメラボディ１０の上面から上方に突出させることができれば、どのような形状であってもよい。
【００５０】
（６）本発明に係るカメラボディ１０は、デジタルカメラに限らず、ビデオカメラに適用することもできる。また、デジタル式のカメラに限らず、フィルム式のカメラにも適用することができる。
【００５１】
（７）本実施形態のカメラ１は、カメラボディ１０とレンズ鏡筒２０とが一体化されている。しかし、本発明はこれに限らず、カメラボディに対しレンズ鏡筒が着脱自在に装着可能なレンズ交換式のカメラにも適用することができる。
【００５２】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００５３】
１：カメラ、１０：カメラボディ、１１：撮像部、１４，１５：吊り環（取付部）、１６：ポップアップボタン、２０：レンズ鏡筒、１００：発光ユニット、１１０：発光部、１１３：キセノン管（発光体）、１２０：収納部材、１３０：移動機構部
【図１】
2012252222.tif 000003
【図２】
2012252222.tif 000004
【図３】
2012252222.tif 000005
【図４】
2012252222.tif 000006
【図５】
2012252222.tif 000007
【図６】
2012252222.tif 000008
【図７】
2012252222.tif 000009
【図８】
2012252222.tif 000010
【図９】
2012252222.tif 000011
【図１０】
2012252222.tif 000012
【図１１】
2012252222.tif 000013
【図１２】
2012252222.tif 000014